(57)【特許請求の範囲】
【請求項１】
左右の側板、前記側板に支持される天板、背板、前板および底板で本体ケーシングが構成され、前記本体ケーシング内の前記左右の側板の間に室内熱交換器が配置され、前記天板の下面に、前記室内熱交換器からの空気を吹き出す送風ファンと、前記送風ファンを回転駆動する駆動部が取り付けられ、かつ前記天板を前後方向に移動させる天板移動機構を備えた空調用室内機であって、
前記天板移動機構は、
下面が開放された、前後方向に長い箱型の板金で形成され、この箱型の板金が前記左右の側板にそれぞれ支持された一対の天板支持部材と、
前記天板支持部材に固定され、前記天板の移動方向に回転する複数の第１のローラと、で構成され、
前記天板支持部材の上面には複数の通し穴が形成され、前記複数の第１のローラは第１のローラ支持部材により、前記通し穴から突き出た状態で前記天板支持部材に固定され、
前記天板のうち前記天板支持部材に対向する位置に、上方に凹んだ凹みを有する複数のボスが形成され、
前記天板は前記複数の第１のローラに乗った状態で前後方向に移動し、前記第１のローラが前記ボスの凹みに嵌ったとき、前記天板の下面が前記天板支持部材に接触し、前記天板がその位置に仮止めされ、
前記天板の下面にストッパが取り付けられ、前記ストッパが前記天板支持部材の前部に設けられた段差部に接触することにより、前記天板の前記本体ケーシングからの脱落を防止し、
前記ストッパの下部に通し穴が形成され、前記天板の移動方向に回転する第２のローラが第２のローラ支持部材により前記通し穴から突き出た状態で前記ストッパに固定され、
前記天板が前後方向に移動するときに前記第２のローラが前記天板支持部材に接触する
ことを特徴とする空調用室内機。
【請求項２】
前記第１のローラ支持部材は、
前記天板支持部材に固定された脚部と、
前記第１のローラを回転可能な状態で支持する軸受部と、で構成され、
前記軸受部は、締結部材を用いて前記脚部に取り付けられることを特徴とする、請求項１に記載の空調用室内機。
【請求項３】
前記天板支持部材は、前端部が後端部より低くなる状態で、前記側板に支持されていることを特徴とする、請求項１または２に記載の空調用室内機。
【請求項４】
前記第１のローラとして本体がボール状のローラが用いられ、前記天板に、前記第１のローラに対応した球状の凹みを有するボスが形成されていることを特徴とする、請求項１〜３のいずれか一項に記載の空調用室内機。
【発明の詳細な説明】
【技術分野】
【０００１】
この発明は、被空調室内に設置されて冷房や暖房を行う空調用室内機に関し、さらに詳しくは、搭載している送風ファンおよびその駆動部のメンテナンスや清掃を手軽に行うことのできる空調用室内機に関する。
【背景技術】
【０００２】
冷房や暖房を行うために被空調室内に設置される冷凍サイクル装置の空調用室内機は、被空調室内の設置条件によっては、衛生面で常に清潔にしたり、塩分などによる空調用室内機の早期劣化を防止するなどの理由から、機内の各部品を定期的に洗浄することが望ましい。
【０００３】
機内の各部品を定期的に洗浄するために好適な機構を備えた空調用室内機として、例えば特許文献１に記載された室内機が知られている。この空調用室内機は、天板を天板支持部材に載せて前後に出し入れできる構造となっており、本体ケーシングの前方へ天板を移動させて、送風ファンおよびその駆動部のメンテナンスや清掃を行うものである。
【先行技術文献】
【特許文献】
【０００４】
【特許文献１】特開２０１０−１１７１０５号公報
【発明の概要】
【発明が解決しようとする課題】
【０００５】
しかし、上述の空調室内機では、天板の下面に送風機ファンやそれを囲むファンケーシング、更には送風機ファンを回転駆動する駆動部などの重量物が取付けられているので、天板の出し入れ時には天板支持部材との線接触により摩擦が大きく、一人では天板の出し入れの作業が困難である。また、天板と天板支持部材とは常に線接触しているため、天板支持部材のメンテナンスや清掃も困難である。
【０００６】
この発明は、上記の課題を解決するためになされたもので、天板の出し入れ操作が容易であり、メンテナンスや清掃の作業性を向上できる空調用室内機を提供することを目的としている。
【課題を解決するための手段】
【０００７】
上記目的を達成するためにこの発明にかかる空調用室内機は、左右の側板、前記側板に支持される天板、背板、前板および底板で本体ケーシングが構成され、前記本体ケーシング内の前記左右の側板の間に室内熱交換器が配置され、前記天板の下面に、前記室内熱交換器からの空気を吹き出す送風ファンと、前記送風ファンを回転駆動する駆動部が取り付けられ、かつ前記天板を前後方向に移動させる天板移動機構を備えた空調用室内機であって、
前記天板移動機構は、
下面が開放された、前後方向に長い箱型の板金で形成され、この箱型の板金が前記左右の側板にそれぞれ支持された一対の天板支持部材と、
前記天板支持部材に固定され、前記天板の移動方向に回転する複数の第１のローラと、で構成され、
前記天板支持部材の上面には複数の通し穴が形成され、前記複数の第１のローラは第１のローラ支持部材により、前記通し穴から突き出た状態で前記天板支持部材に固定され、
前記天板のうち前記天板支持部材に対向する位置に、上方に凹んだ凹みを有する複数のボスが形成され、
前記天板は前記複数の第１のローラに乗った状態で前後方向に移動し、前記第１のローラが前記ボスの凹みに嵌ったとき、前記天板の下面が前記天板支持部材に接触し、前記天板がその位置に仮止めされ、
前記天板の下面にストッパが取り付けられ、前記ストッパが前記天板支持部材の前部に設けられた段差部に接触することにより、前記天板の前記本体ケーシングからの脱落を防止し、
前記ストッパの下部に通し穴が形成され、前記天板の移動方向に回転する第２のローラが第２のローラ支持部材により前記通し穴から突き出た状態で前記ストッパに固定され、
前記天板が前後方向に移動するときに前記第２のローラが前記天板支持部材に接触することを特徴とする。
【発明の効果】
【０００８】
この発明の空調用室内機では、天板の移動機構にローラを用いているため、天板の引き出し時にローラが回転することで摩擦抵抗を小さくできる。また、天板に設けられたボスの凹みに天板移動機構のローラが嵌り合うことで、空調用室内機の使用時およびメンテナンス時において天板の位置決めが簡単に行える利点を有する。
【図面の簡単な説明】
【０００９】
【図１】この発明の実施の形態１にかかる空調用室内機の正面図である。
【図２】図１の空調用室内機において、天板移動機構を用いて天板を引き出した状態を示す斜視図である。
【図３】図１の空調用室内機をＡ−Ａ線で切断した矢示断面図である。
【図４】実施の形態１の天板移動機構の展開図である。
【図５】図３のローラ部分を拡大して示した要部断面図である。
【図６】天板を引き出している途中経過を示す断面図である。
【図７】機内洗浄時の天板の引き出し位置を示す断面図である。
【図８】天板と天板支持部材を下方から見た要部平面図である。
【図９】天板と天板支持部材を下方から見た斜視図である。
【図１０】ストッパにローラ支持部材を取り付けた天板移動機構の変形例を示す要部斜視図である。
【図１１】この発明の実施の形態２におけるローラを示す斜視図である。
【図１２】実施の形態２における天板の球形ボスを示す要部斜視図である。
【図１３】実施の形態２のローラの効果を説明する図である。
【発明を実施するための形態】
【００１０】
実施の形態１．
図１は、本発明の実施の形態１にかかる空調用室内機の前板を取り外した状態を示す正面図である。また図２は、天板移動機構を用いて天板を前方に引き出した状態を示す斜視図である。
【００１１】
図１に示すように、空調用室内機１は、左右の側板２および３、この側板２および３に支持される天板４、背板５、前板６ならびに底板７によって直方体の箱状に形成された本体ケーシング８を備えている。側板２および３、背板５、前板６ならびに底板７は、それぞれの間に支柱材や横枠材を適宜介在させて、ビスなどで固定されている。天板４は、後に詳述するように、側板２、３および背板５とは独立した構成となっている。
【００１２】
本体ケーシング８内は、ファンケーシング１２の前面下部の空気吸込口２１と、ファンケーシング１２上面の開口とを連通する通風路になっている。この通風路内には、汎用の空調用冷媒回路（図示せず）の構成部品である室内熱交換器９が、前側を高くした傾斜配置で設置されている。この室内熱交換器９を境に、本体ケーシング８内の通風路が、空気入側の1次側空間１９と空気出側の２次側空間２０とに区別される。
【００１３】
天板４の下面4Ｂには、１組の支持脚１８が左右方向に離間して垂設されている。支持脚１８の下端部には、ボールベアリングなどの軸受１４が取り付けられている。これらの軸受１４に回転軸１３が架け渡されて回動自在に軸支されている。回転軸１３の途中には、シロッコファンなどに代表される２台の送風ファン１０が固設されている。
【００１４】
ファンケーシング１２は、２台の送風ファン１０の周囲をそれぞれ囲むように、天板４の下面に固設されている。各ファンケーシング１２の左右両側における回転軸１３の周囲部分は、開口して吸込口１２Ａとなっている（図２参照）。ファンケーシング１２は、天板４に取付けられた状態で、それぞれの吹出口１２Ｂが天板４の吹出用開口４Ａと連通する位置となるように配置されている（図２参照）。
【００１５】
天板４の下面にはモータ３８が固設されている。モータ３８の回転駆動軸にモータプーリ１６が取り付けられ、回転軸１３の一端部にファンプーリ１５が取り付けられ、ファンプーリ１５とモータプーリ１６との間にベルト１７が架け回されている。これらのプーリおよびベルトにより、モータ３８の回転駆動力が送風ファン１０に伝達される。
【００１６】
すなわち、モータ３８、モータプーリ１６、ベルト１７、ファンプーリ１５および回転軸１３により、送風ファン１０を回転駆動する駆動部１１が構成される。送風ファン１０は、室内熱交換器９から出た２次側空間２０の空気を吸込口１２Ａより吸込んで吹出口１２Ｂから吹き出す。
【００１７】
次に、図３、図４および図５を参照して、天板移動機構の構成を説明する。図３は図１の空調用室内機をＡ−Ａ線で切断した矢視断面図で、下部は本発明と直接関係しないため、省略している。図４は天板移動機構１００の展開図、図５は図３のうちローラ支持部を拡大して示した要部断面図である。
【００１８】
前述の図２に示したように、空調用室内機１の送風ファン１０をメンテナンスするときは、吸込口１２Aが機外まで出ていることが望ましい。本発明では、天板移動機構１００によりこれを実現している。図４に示すように天板移動機構１００は、基本的に一対の天板支持部材４１、およびローラ支持部材４８（図５参照）によって天板支持部材４１に固定された３つのローラ４０Ａ、４０Ｃ、４０Ｄによって構成されている。
【００１９】
図３に示すように、本体ケーシング８の側板３および４には、前後方向に長い箱型の板金で形成された天板支持部材４１が、水平状態より若干前端部が下に傾いた状態で取り付けられている。そして天板４は、側板３および４に支持された一対の天板支持部材４１の上に乗るような状態で配置されている。
【００２０】
天板支持部材４１は、下面が開放された５面からなる箱型の板金で形成され、上面４１Ｅの３ヵ所に通し穴４１Ａ、４１Ｃおよび４１Ｄが設けられている。通し穴４１は前方（前板６側）に２ヵ所、後方に１ヵ所設けられている。通し穴４１Ａと通し穴４１Ｃの距離は、天板４をメンテナンス位置に移動させる距離と同じである。
通し穴４１Dは、後述するローラ支持部材４８が取り外しできる位置で、可能な限り前方に設けることが望ましい。
【００２１】
段差部４１Ｆは天板４をメンテナンス位置から、さらに引き出した時に、後述するストッパ４４が突き当たるようにする。
【００２２】
図５に示すように、ローラ４０Ａは、脚部４２および軸受部４３からなるローラ支持部材４８により天板支持部材４１の板金の裏に回転可能な状態で支持されている。脚部４２はコの字状の板金で形成され、軸受部４３をビス４６で締結するための穴が設けられている。脚部４２は、天板支持部材４１の通し穴４１Ａの近傍に溶接によって取付けられる。
【００２３】
軸受部４３はコの字状の板金で形成され、ローラ４０Ａを挿入するＵ字形の切欠きと、ビス４６を挿入するための穴が設けられている。なお、ビス４６で締結する代わりに、ボルトとナットを用いて軸受部４３を脚部４２に固定してもよい。また、Ｕ字形切欠きの代わりにベアリング等の軸受を使用することもできる。
【００２４】
ローラ４０Ａ（以降、総称して「ローラ４０」ともいう）は円柱形で、中心部に軸受部４３のＵ字形切欠きに挿入するための軸が設けられている。ローラ４０の軸は、天板支持部材４１の長手方向（すなわち天板４を引き出す方向）と直交する方向に設定されている。ローラ４０の素材としては金属、樹脂もしくはゴムが挙げられる。
【００２５】
図５に示すように、ビス４６によってローラ４０Ａが挿入された軸受部４３を脚部４２に取付けた状態では、ローラ４０の一部が通し穴４１から突き出ている。
【００２６】
天板４は、上面が開放された、５面からなる箱形の板金で形成されている。天板４の下面４Ｂには４つのボス４５Ａ〜４５Ｄ（以降、総称して「ボス４５」ともいう）が設けられている。ボス４５は天板４にＨ型の切り込みを入れて板金を内側に曲げたもので、上方に向かって凹みが形成されている。ボス４５は天板４の左右の前方に２ヵ所、後方に２ヵ所それぞれ設けられる。ボス４５Ａ、４５Ｃおよび４５Ｄの位置は、空調用室内機使用時の位置において、天板支持部材４１の通し穴４１Ａ、４１Ｃおよび４１Ｄが天板と重なり合う所に設けられている。ボス４５Ｂは、ボス４５Ａがローラ４０Cと嵌まり合うときに、ローラ４０Ｄと嵌まり合う位置に設けられている。
【００２７】
図５に示すように、ローラ４０Ａがボス４５Ａの凹み４Ｃに嵌り合う状態では、天板４の下面４Ｂと天板支持部材４１の上面４１Ｅは隙間なく接触している。このときボス４５Ａの凹み４Ｃとローラ４０Ａとの間には若干の隙間が空いている。
【００２８】
次に、図３、図６および図７を参照して、天板４を空調用室内機使用時の位置から引き出す過程を説明する。図３に示すように、空調用室内機使用時の位置では、ローラ４０Ａとボス４５Ａ、ローラ４０Ｃとボス４５Ｃ、ローラ４０Ｄとボス４５Ｄが嵌まり合うことで、仮止されている。この位置では、図８に示すように、天板固定ビス４７を用いて天板４と天板支持部材４１を締結することにより、天板４と本体ケーシング８（側板２および３）を固定している。
【００２９】
空調用室内機１をメンテナンスするために、天板固定ビス４７を取り外し、作業者が天板４を図３に示す位置から前方（矢印で示す方向）に引くと、ローラ４０Ａ、ローラ４０Ｃおよびローラ４０Ｄが、ボス４５Ａ、ボス４５Ｃおよびボス４５Ｄの凹みから外れる。この状態では、各ローラ４０の上に天板４の下面４Ｂが接触、すなわち天板４がローラ４０に乗った状態となり、図６に示すように、各ローラ４０が回転することで天板４を引き出すことができる。
【００３０】
天板４を図７のメンテナンス位置まで引き出すと、ローラ４０Ｃとボス４５Ａ、ローラ４０Ｄとボス４５Ｂが嵌り合う。これにより、メンテナンス位置で天板４を仮止することができる。
【００３１】
メンテナンスが終了して天板４を押し込む時は、上記と逆の手順になる。すなわち、作業者が天板４の前端部を後方に押して、ローラ４０Ｃとボス４５Ａ、およびローラ４０Ｄとボス４５Ｂの嵌り合いを解除すると、図７に示す状態から図６に示す状態に移行し、更に天板４を後方に押すと、図３に示す空調用室内機使用時の位置に復帰する。
【００３２】
ここで、ローラ４０の数を変えた場合の効果について説明する。ローラ４０を左右の天板支持部材４１に１個ずつ取り付けた場合には、ローラ４０が支点（２点支持）となって天板４が上下にガタつき、ケーシングと接触してキズがつく。ローラ４０を左右の天板支持部材４１に２個ずつ取り付けた場合には、天板４を引き出すと、ローラ４０が支点（２点支持）となり、１個ずつ設けた場合と代わりがない。これに対し、本実施の形態のようにローラ４０を左右の天板支持部材４１に３個ずつ取り付けた場合は、天板４を引き出すと４箇所のローラ４０で支えるので、上下にガタつくことはない。ローラ４０を左右の天板支持部材４１に４個以上取り付けることは、部品点数が増えるだけなので望ましくない。
【００３３】
次に、図９を参照してストッパ４４に機能を説明する。前述の図７に示した天板４の位置で、さらに天板４を引き出した場合に、ストッパ４４が天板支持部材４１の段差部４１Ｆに突き当たり、天板４が本体ケーシング８から脱落するのを防止する。なお、ストッパ４４は天板支持部材４１に天板４を据付けた後に、天板４の左右にビス４６によって取付ける。ストッパ４４は天板支持部材４１の側面４１Gと接するので、天板４の左右のガタつきを防止できる。
【００３４】
以上説明したように、本実施の形態の天板移動機構１００は、天板４をローラ４０の上に乗せて引き出す構造にしたので、引き出し時の摩擦が小さくなり、作業者が一人で天板４をメンテナンス位置に引き出すことができる。また天板４のボス４５とローラ４０が、メンテナンス位置と空調用室内機使用時の位置で嵌まり合うことで、位置決めが簡単に行える。
【００３５】
また図３に示したように、天板支持部材４１は前端部が後端部より若干低くなるように傾いた状態で側板２および３に支持されている。その結果、天板４が傾くことで、前方方向へ僅かに力が働き、各ローラの上を転がるので、引き出しがより行いやすくなる。また、天板４の収納時は、天板４を斜め下方から押し上げることになるため、作業者が力を入れやすくなる。
【００３６】
また天板支持部材４１と天板４とを前方方向へ向かって傾け、更に天板４に水抜き穴５０を設けている（図２参照）。本体ケーシング８を洗浄する時に、天板４に溜まった水は天板４の傾きにより、本体ケーシング８前部に導水される。導水された水は天板４の水抜き穴５０から抜くことが可能になる。なお、天板４と天板支持部材４１の傾きは、０．５度程度以上であれば導水が可能になる。
【００３７】
図２では水抜き穴は２ヵ所に設けたが、１ヵ所以上あれば水抜きは可能である。水抜き位置は、図２のように均等に配置するのが望ましいが、機内の構造の都合で水抜きが困難になることが考えられるので、この限りではない。
【００３８】
また本実施の形態の天板移動機構では、図５に示したように、各ボス４５と各ローラ４０が嵌まり合うときは、軸受部４３には天板４の荷重が加わっていないため、ローラ支持部材４８の軸受部４３を取り外すことできる。結果として、ローラ支持部材４８の細部に渡り洗浄が可能になる。また、各ローラ４０の点検や交換などのメンテナンスが容易になる。
【００３９】
なお、図９に示すように、天板４が前後に移動する際、ストッパ４４と天板支持部材４１の側面４１Gの端面が面接触することになる。これを避けるために、図１０に示すようにストッパ４４の底部に通し穴を設けると共に、図４で説明したのと同様の構造のローラ４０Ｅおよびローラ支持部材４９を取り付けるようにしてもよい。このような構成とすれば、ストッパ４４はローラ４０Ｅを介して天板支持部材４１に接触するため、摩擦抵抗を大幅に低減できる。
【００４０】
実施の形態２．
図１１、図１２および図１３に、実施の形態２の天板移動機構に使用するローラとボスの形状を示す。本実施の形態では、実施の形態１の円柱状のローラ４０の代わりにボール状のローラ５１を用いている。ボール状のローラを採用すると天板４とは点接触になるので、摩擦をより少なくすることができる。
【００４１】
またボール状のローラ５１に対応するため、天板４にH形の切り込みを入れた実施の形態１のボス４５に代わり、図１２に示す球形のボス５２を用いている。ボス５２は天板４の板金にプレスで球形の凹みを形成することで、簡単に作製できる。
【００４２】
図１３に示すように、ボール５１が球形ボス５２に嵌まるときに、ボール５１と球形ボス５２の位置がずれてストッパ４４と天板支持部材４１の側面４１Gに隙間ができることがある。このとき、球形ボス５２は球形になっているので、天板４が重力により図１３の矢印の方向に移動し、ボール５１と球形ボス５２は嵌まり合う。このようにして、天板４を、空調使用時の位置により正確に仮止できる。
【符号の説明】
【００４３】
１  空調用室内機
２、３  側板
４  天板
５  背板
６  前板
７  底板
８  本体ケーシング
９  室内熱交換器
１０  送風ファン
１１  駆動部
１２  ファンケーシング
１２Ａ  吸込口
１２Ｂ  吹出口
１３  回転軸
１４  軸受
１５  ファンプーリ
１６  モータプーリ
１７  ベルト
１８  支持脚
１９  １次側空間
２０  ２次側空間
２１  空気吸込口
３８  モータ
４０、５１  ローラ
４１  天板支持部材
４１Ａ、４１Ｃ、４１Ｄ  通し穴
４１Ｆ  段差部
４２  脚部
４３  軸受部
４４  ストッパ
４５、５２  ボス
４６、４７  ビス
５０  水抜き穴
【図１】
0005748578.tif 000002
【図２】
0005748578.tif 000003
【図３】
0005748578.tif 000004
【図４】
0005748578.tif 000005
【図５】
0005748578.tif 000006
【図６】
0005748578.tif 000007
【図７】
0005748578.tif 000008
【図８】
0005748578.tif 000009
【図９】
0005748578.tif 000010
【図１０】
0005748578.tif 000011
【図１１】
0005748578.tif 000012
【図１２】
0005748578.tif 000013
【図１３】
0005748578.tif 000014